(57)【要約】【課題】各種のドラフトチャンバーに柔軟に外付けしてドラフトチャンバーを小型化できる排気ガス洗浄装置の提供。【解決手段】排気ガスＧ１を導入する接続用導入ダクト１３と、排気ガスＧ１を洗浄処理した清浄ガスＧ２として外部への排出を自在に設けられた接続用排出ダクト１５とを備えるケーシング１１内には、接続用導入ダクト１３と連通させた内部ダクト１７を形成するとともに、該内部ダクト１７側には、薬液散布部１９からの洗浄用薬液Ｌの散布のもとで排気ガスＧ１を通過させるフィルター部２０と、排気ガスＧ１を気液分離した清浄ガスＧ２として接続用排出ダクト１５への送出を自在としたミストセパレータ部２１とをその流路の上流側から順に配置し、ミストセパレータ部２１の下方には、凝縮された回収薬液を含む洗浄用薬液Ｌの薬液散布部１９への圧送と、その液位制御とを自在に形成された薬液貯槽２７を配設した。【選択図】図１
2006159050.tif 000002
【特許請求の範囲】
【請求項１】
他装置が備える排気ダクトから排出される排気ガスを導入すべく前記排気ダクトとの接続を自在に設けられた接続用導入ダクトと、導入された排気ガスを洗浄処理した清浄ガスとして外部への排出を自在に設けられた接続用排出ダクトとを備えてなるケーシング内には、前記接続用導入ダクトと連通させた内部ダクトを形成するとともに、
該内部ダクト側には、薬液散布部からの洗浄用薬液の散布のもとで前記排気ガスを通過させるフィルター部と、該フィルター部を通過させた排気ガスを気液分離して除湿させた前記清浄ガスとして前記接続用排出ダクトへの送出を自在に設けられたミストセパレータ部とをその流路の上流側から順に配置し、
前記ケーシング内における少なくとも前記ミストセパレータ部の下方には、該ミストセパレータ部を介して凝縮された回収薬液を含む洗浄用薬液の前記薬液散布部への圧送と、その液位制御とを自在に形成された薬液貯槽を配設したことを特徴とする排気ガス洗浄装置。
【請求項２】
前記薬液貯槽からの洗浄用薬液の前記薬液散布部への圧送は、これら薬液貯槽と薬液散布部とを直結する管路に介在配置した循環ポンプにより行わせる請求項１に記載の排気ガス洗浄装置。
【請求項３】
前記薬液貯槽内への洗浄用薬液の補充は、ボールタップユニットもしくは電磁弁を介して自動的に液位制御することで行わせる請求項１又は２に記載の排気ガス洗浄装置。
【請求項４】
前記他装置は、各種のドラフトチャンバーである請求項１，２又は３のいずれかに記載の排気ガス洗浄装置。
【発明の詳細な説明】
【技術分野】
【０００１】
本発明は、排気ガスを排出する各種の他装置、例えば形状やサイズを異にする各種のドラフトチャンバーに対し特に好適に対応設置することができる排気ガス洗浄装置に関する技術である。
【背景技術】
【０００２】
ドラフトチャンバーは、例えば化学系の実験室内に薬品ガス、有機溶剤、悪臭、蒸気等、人体に悪影響を及ぼす物質が流出しない構造を付与して形成することにより、実験従事者が必要な実験を安全裡に遂行できる装置として従来より用いられてきている。
【０００３】
この場合、ドラフトチャンバーには、負圧状態にある処理室内で種々の化学的な実験を行うようになっている。また、その際に生成される有害な排気ガスは、その内部に組み込んだ排気ガス洗浄装置へと導入して浄化し、無害化した上で外部へと排出することができるようにしたものもある。
【０００４】
ところで、上記排気ガス洗浄装置は、通常、洗浄槽と薬液貯槽との間を循環ポンプで洗浄用薬液を循環させながら排気ガスを洗浄処理しようとするものであり、ドラフトチャンバー内に一体的に組み込むことにより用意されているのが一般的である。
【０００５】
これをより具体的に説明すれば、ドラフトチャンバーは、その天井部内に洗浄槽を、下台部内に薬液貯槽をそれぞれ設置し、このように離間配置された洗浄槽と薬液貯槽とを循環ポンプを介在させた管路を介して直結させてなる排気ガス洗浄装置を一体的に組み込むことにより形成されている。
【０００６】
また、この種のドラフトチャンバーには、リサイクルタイプの排気ガス洗浄装置を組み込むことで、ランニングコストの低減化を図ったものも既に提案されている。
【特許文献１】特開２０００−１６７４１６号公報
【発明の開示】
【発明が解決しようとする課題】
【０００７】
しかし、特許文献１の開示技術を含む上記従来手法による場合には、ドラフトチャンバー自体に排気ガス洗浄装置を組み込むために必要なスペースを確保する必要があり、結果的に装置の大型化を招いてしまう不都合があった。
【０００８】
また、サイズや形状を異にするドラフトチャンバーにあっては、これに組み込む排気ガス洗浄装置のそれぞれも、個別に適応させることができるように設計変更をしなければならず、装置コストの上昇を招いてしまう不具合もあった。
【０００９】
本発明は、従来技術にみられた上記課題に鑑み、例えば形状やサイズを異にする各種のドラフトチャンバーであっても柔軟に外付けすることができるほか、これにより他装置としてのドラフトチャンバーなどを小型化することもできる排気ガス洗浄装置を提供することに目的がある。
【課題を解決するための手段】
【００１０】
本発明は、上記目的を達成すべくなされたものであり、他装置が備える排気ダクトから排出される排気ガスを導入すべく前記排気ダクトとの接続を自在に設けられた接続用導入ダクトと、導入された排気ガスを洗浄処理した清浄ガスとして外部への排出を自在に設けられた接続用排出ダクトとを備えてなるケーシング内には、前記接続用導入ダクトと連通させた内部ダクトを形成するとともに、該内部ダクト側には、薬液散布部からの洗浄用薬液の散布のもとで前記排気ガスを通過させるフィルター部と、該フィルター部を通過させた排気ガスを気液分離して除湿させた前記清浄ガスとして前記接続用排出ダクトへの送出を自在に設けられたミストセパレータ部とをその流路の上流側から順に配置し、前記ケーシング内における少なくとも前記ミストセパレータ部の下方には、該ミストセパレータ部を介して凝縮された回収薬液を含む洗浄用薬液の前記薬液散布部への圧送と、その液位制御とを自在に形成された薬液貯槽を配設したことに最も主要な特徴がある。
【００１１】
この場合、前記薬液貯槽からの洗浄用薬液の前記薬液散布部への圧送は、これら薬液貯槽と薬液散布部とを直結する管路に介在配置した循環ポンプにより行わせるのが好ましい。また、前記薬液貯槽内への洗浄用薬液の補充は、ボールタップユニットもしくは電磁弁を介して自動的に液位制御することで行わせるのが望ましい。さらに、前記他装置は、各種のドラフトチャンバーであることが特に好ましい。
【発明の効果】
【００１２】
本発明によれば、サイズや形状を異にするドラフトチャンバーなどの他装置の排気ダクトに対し単に接続用導入ダクトを接続することにより、例えば天吊タイプとして簡単に外付けすることができるので、同じものを設計変更することなく適応力を高めて設置することができる。
【００１３】
しかも、排気ガス洗浄装置を外付けとすることにより、例えばドラフトチャンバーなどの他装置自体の小型化を図って装置コストの低減化に有効に寄与させることもできる。
【発明を実施するための最良の形態】
【００１４】
図１は、本発明の構成例についての縦断面構造を示す説明図である。同図によれば、適宜サイズの略直方体形状を呈するケーシング１１は、その底板部１２にフランジ部１３ａ付きの接続用導入ダクト１３を、天板部１４に風量を制御するバタフライ型ダンパーなどのフランジ部１５ａ付きの接続用排出ダクト１５をそれぞれ備えた例えば硬質塩化ビニルやポリプロピレンなどの樹脂成形品など、適宜の耐食性に富む素材を用いてその全体が形成されている。
【００１５】
この場合、接続用導入ダクト１３は、例えばドラフトチャンバーなどのような図示しない他装置が備える排気ダクト１０１から排出される排気ガスＧ１を導入すべく排気ダクト１０１との接続を自在に、接続用排出ダクト１５は、導入された排気ガスＧ１を洗浄処理した清浄ガスＧ２として外部への排出を自在とすることで、それぞれがケーシング１１に各別に形成されている。
【００１６】
しかも、ケーシング１１内には、接続用導入ダクト１３と連通させた内部ダクト１７が形成されており、該内部ダクト１７側には、薬液散布部１９が備える多数個のノズル１９ａから霧状となって噴射される洗浄用薬液Ｌの散布のもとで排気ガスＧ１を通過させるフィルター部２０（例えば商品名「ビニロック・フィルター」として販売されているポリ塩化ビニリデン繊維不織布や、商品明「テラレット」として販売されている洗浄式排ガス処理装置専用の充填材料であるポリエチレン、ポロプロピレン等を充填材料として使用）と、該フィルター部２０を通過させた排気ガスＧ１を気液分離して除湿された清浄ガスＧ２としての送出を自在とすべく例えば蛇腹状に屈曲されたセパレータ材を雁行するように配列させるなどして設けられたミストセパレータ部２１とが排気ガスＧ１の流路の上流側から順に配置されている。
【００１７】
これを図に即してさらに具体的に説明すれば、内部ダクト１７は、接続用導入ダクト１３と連通する配置関係で設けられた仕切り板２２，２３とケーシング１１の側板部１６と天板部１４との間に形成されている。また、薬液散布部１９は、仕切り板２２，２３とを介して形成された隔室２４内に設置されたフィルター部２０の上方に位置する配置関係のもとで設置されている。さらに、格子状支持台により下支えされたフィルター部２０の下方には、ミストセパレータ部２１へと向かう通路２５が設けられており、該通路２５を介して洗浄用薬液Ｌによりフィルター部２０内で洗浄された排気ガスＧ１がミストセパレータ部２１へと到達できるようになっている。なお、洗浄用薬液Ｌとしては、例えば酸性ガスを処理する際には苛性ソーダーが、アルカリ性ガスを処理する際には硫酸等が主に使用される。また、実験室においては、主にＨ２Ｏ（重水）が洗浄用薬液Ｌとして使用される。
【００１８】
ケーシング１１内におけるミストセパレータ部２１の下方には、該ミストセパレータ部２１内にて衝突捕集された回収薬液を含む洗浄用薬液Ｌを貯留する薬液貯槽２７が確保されており、該薬液貯槽２７内に貯留される洗浄用薬液Ｌは、ボールタップ２８や図示しない電磁弁などにより、その液位を制御しながら自動的に補充できるようになっている。
【００１９】
そして、薬液貯槽２７内に貯留された洗浄用薬液Ｌは、薬液貯槽２７と薬液散布部１９との間に配管されたパイプ３０により形成される管路に介在配置した循環ポンプＰにより、薬液散布部１９側へと制御された圧送を行うことができるようになっている。この場合、パイプ３０における洗浄用薬液Ｌの吸込み口３１には、ごみなどの侵入を阻止し得る適宜素材からなるフィルター（図示せず）を配設しておくのが望ましい。
【００２０】
次に、このようにして構成されている本発明につき、その作用・効果を説明すれば、例えばドラフトチャンバーなどのような図示しない他装置が備える排気ダクト１０１に接続用導入ダクト１３を接続するとともに、接続用排出ダクト１５をファンを介して空気引きしている図示しない外部排気ダクトに接続することで、外付けとして他装置に取り付けることができる。この場合、ケーシング１１自体を実験室の天井などの適宜位置に吊持させておくこともできる。
【００２１】
ケーシング１１内のミストセパレータ部２１の下方には、洗浄用薬液Ｌを貯留させた薬液貯槽２７が配設されており、該薬液貯槽２７と薬液散布部１９とは、パイプ３０を介して連通されている。また、パイプ３０には、循環ポンプＰが介在配置されているので、循環ポンプＰを駆動させることにより、洗浄用薬液Ｌを薬液散布部１９を圧送することができる。
【００２２】
薬液散布部１９側に圧送されてきた洗浄用薬液Ｌは、複数あるノズル１９ａからフィルター部２０に向けて噴射され、内部ダクト１７からフィルター部２０内へと流下する排気ガスＧ１は、フィルター部２０に保持させた洗浄用薬液Ｌとの気液接触時間を長くして洗浄することで、その洗浄効率を高めている。
【００２３】
洗浄用薬液Ｌを浴びながらフィルター部２０を通過して洗浄された排気ガスＧ１は、通路２５を介してミストセパレータ部２１へと到達する。該ミストセパレータ部２１内では、排気ガスＧ１が衝突捕集されて回収薬液として再度、薬液貯槽２７内に貯留される。その結果、排気ガスＧ１は、除湿された清浄ガスＧ２へと清浄化させた上で、接続用排出ダクト１５から図示しない外部排気ダクトを経て外部に排出されることになる。
【００２４】
一方、該薬液貯槽２７内に貯留される洗浄用薬液Ｌは、ボールタップ２８や図示しない電磁弁などにより、その液位を制御しながら自動的に補充できるようになっているので、液位が予め定めてある所定位置まで下がった際に、自動的に供給され、洗浄用薬液Ｌが不足することはない。
【００２５】
このため、本発明によれば、サイズや形状を異にするドラフトチャンバーなどの他装置の排気ダクト１０１に対し単に接続用導入ダクト１３を接続することにより、例えば天吊タイプとして簡単に外付けすることができるので、同じものを設計変更することなく適応力を高めて設置することができる。
【００２６】
しかも、本発明に係る排気ガス洗浄装置を外付けとすることにより、例えばドラフトチャンバーなどの他装置自体の小型化を図って装置コストの低減化に有効に寄与させることもできることになる。
【００２７】
なお、本発明に係る排気ガス洗浄装置は、サイズや形状を異にする各種のドラフトチャンバーに特に好適に適用することができるものではが、所望によりドラフトチャンバー以外の排気ガスを排出する他装置に対し適用させることもできる。
【図面の簡単な説明】
【００２８】
【図１】本発明の構成例についての縦断面構造を示す説明図。
【符号の説明】
【００２９】
１１  ケーシング
１２  底板部
１３  接続用導入ダクト
１３ａ  フランジ部
１４  天板部
１５  接続用排出ダクト
１５ａ  フランジ部
１６  側板部
１７  内部ダクト
１９  薬液散布部
１９ａ  ノズル
２０  フィルター部
２１  ミストセパレーター部
２２，２３  仕切り板
２４  隔室
２５  通路
２７  薬液貯槽
２８  ボールタップ
２９  格子状支持台
３０  パイプ
３１  吸込み口
１０１  排気ダクト
Ｇ１    排気ガス
Ｇ２  清浄ガス
Ｌ  洗浄用薬液
Ｐ  循環ポンプ
【図１】
2006159050.tif 000003